(57)【要約】  将来の無線通信システムにおいて、上り共有チャネルを利用して上りデータ及び上り制御情報を送信する場合であっても通信を適切に行う。ユーザ端末は、上り共有チャネルにおいて上りデータ及び上り制御情報を送信する送信部と、空間領域、周波数領域、及び時間領域の１つへ最初に前記上り制御情報をマッピングすることにより、前記上り制御情報を複数レイヤへマッピングすることを制御する制御部と、を有することを特徴とする。
2019097696.tif 000002
【特許請求の範囲】
【請求項１】
上り共有チャネルにおいて上りデータ及び上り制御情報を送信する送信部と、
空間領域、周波数領域、及び時間領域の１つへ最初に前記上り制御情報をマッピングすることにより、前記上り制御情報を複数レイヤへマッピングすることを制御する制御部と、を有することを特徴とするユーザ端末。
【請求項２】
前記制御部は、前記複数レイヤの１つのレイヤへ前記上り制御情報をマッピングし、前記１つのレイヤへマッピングされた上り制御情報を、前記複数レイヤへ複製することを特徴とする請求項１に記載のユーザ端末。
【請求項３】
前記制御部は、前記上り制御情報のビット列を、前記複数レイヤにわたってマッピングすることを特徴とする請求項１に記載のユーザ端末。
【請求項４】
前記制御部は、上位レイヤシグナリングと、空間多重のレイヤ数と、前記上り制御情報に対するベータオフセットと、前記上り制御情報に対するベータオフセットのセットと、の少なくとも１つに基づいて、前記上り制御情報がマッピングされるレイヤの数を決定することを特徴とする請求項１から請求項３のいずれかに記載のユーザ端末。
【請求項５】
前記制御部は、再送制御情報がマッピングされるレイヤ数と、チャネル状態情報がマッピングされるレイヤ数と、を決定することを特徴とする請求項４に記載のユーザ端末。
【請求項６】
上り共有チャネルにおいて上りデータ及び上り制御情報を送信する工程と、
空間領域、周波数領域、及び時間領域の１つへ最初に前記上り制御情報をマッピングすることにより、前記上り制御情報を複数レイヤへマッピングすることを制御する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）では、ユーザ端末（ＵＥ：User  Equipment）は、ＵＬデータチャネル（例えば、ＰＵＳＣＨ：Physical  Uplink  Shared  Channel）及び／又はＵＬ制御チャネル（例えば、ＰＵＣＣＨ：Physical  Uplink  Control  Channel）を用いて、上りリンク制御情報（ＵＣＩ：Uplink  Control  Information）を送信する。【０００５】
ＵＥは、上りデータの送信タイミングと、上り制御情報（ＵＣＩ）の送信タイミングが重複する場合、上り共有チャネル（ＰＵＳＣＨ）を用いて上りデータとＵＣＩの送信を行う。ＰＵＳＣＨを利用してＵＣＩを送信することをＵＣＩ  ｏｎ  ＰＵＳＣＨ（piggyback  on  PUSCH）、ＰＵＳＣＨピギーバックなどとも呼ぶ。【０００６】
ＵＣＩは、例えば、ＤＬデータに対する再送制御情報（ＨＡＲＱ−ＡＣＫ、ＡＣＫ／ＮＡＣＫ、Ａ／Ｎなどともいう）、スケジューリングリクエスト（ＳＲ：Scheduling  Request）、ＣＳＩ（例えば、周期的ＣＳＩ（Ｐ−ＣＳＩ：Periodic  CSI）、非周期的ＣＳＩ（Ａ−ＣＳＩ：Aperiodic  CSI）、準周期的ＣＳＩ（Semi-Periodic  CSI）など）を含んでもよい。
【先行技術文献】
【非特許文献】
【０００７】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００８】
既存のＬＴＥシステム（例えば、ＬＴＥ  Ｒｅｌ．８−１３）では、上りデータ（例えば、ＵＬ−ＳＣＨ）の送信と、上り制御情報（ＵＣＩ）の送信タイミングが重複する場合、上り共有チャネル（ＰＵＳＣＨ）を用いて上りデータとＵＣＩの送信を行う（ＵＣＩ  ｏｎ  ＰＵＳＣＨ）。将来の無線通信システム（例えば、ＬＴＥ  Ｒｅｌ．１４以降、５Ｇ又はＮＲ）においても、既存のＬＴＥシステムと同様にＰＵＳＣＨを用いて上りデータとＵＣＩを送信することが考えられる。【０００９】
しかしながら、将来の無線通信システムにおいて、既存のＬＴＥシステムと異なる構成を適用する場合、上り共有チャネルを利用した上り制御情報の送信をどのように制御するかが問題となる。【００１０】
本発明はかかる点に鑑みてなされたものであり、将来の無線通信システムにおいて、上り共有チャネルを利用して上りデータ及び上り制御情報を送信する場合であっても通信を適切に行うことができるユーザ端末及び無線通信方法を提供することを目的の１つとする。
【課題を解決するための手段】
【００１１】
本発明の一態様に係るユーザ端末は、上り共有チャネルにおいて上りデータ及び上り制御情報を送信する送信部と、空間領域、周波数領域、及び時間領域の１つへ最初に前記上り制御情報をマッピングすることにより、前記上り制御情報を複数レイヤへマッピングすることを制御する制御部と、を有することを特徴とする。
【発明の効果】
【００１２】
本発明の一態様によれば、将来の無線通信システムにおいて、上り共有チャネルを利用して上りデータ及び上り制御情報を送信する場合であっても通信を適切に行うことができる。
【図面の簡単な説明】
【００１３】
【図１】第１マッピング方法の一例を示す図である。
【図２】第２マッピング方法の一例を示す図である。
【図３】一実施形態に係る無線通信システムの概略構成の一例を示す図である。
【図４】一実施形態に係る無線基地局の全体構成の一例を示す図である。
【図５】一実施形態に係る無線基地局の機能構成の一例を示す図である。
【図６】一実施形態に係るユーザ端末の全体構成の一例を示す図である。
【図７】一実施形態に係るユーザ端末の機能構成の一例を示す図である。
【図８】一実施形態に係る無線基地局及びユーザ端末のハードウェア構成の一例を示す図である。
【発明を実施するための形態】
【００１４】
既存のＬＴＥシステムのＵＬ伝送では、ＵＣＩ送信と上りデータ（ＵＬ−ＳＣＨ）送信が同じタイミングで生じた場合、ＵＣＩと上りデータをＰＵＳＣＨに多重して送信する方法（UCI  piggyback  on  PUSCH、UCI  on  PUSCHとも呼ぶ）がサポートされている。ＵＣＩ  ｏｎ  ＰＵＳＣＨを用いることにより、ＵＬ伝送において低いＰＡＰＲ（Peak-to-Average  Power  Patio）及び／又は低い相互変調歪（ＩＭＤ：inter-modulation  distortion）を達成することができる。
【００１５】
将来の無線通信システム（例えば、ＬＴＥ  Ｒｅｌ．１４以降、５Ｇ又はＮＲなど）のＵＬ伝送においてもＵＣＩ  ｏｎ  ＰＵＳＣＨをサポートすることが検討されている。
【００１６】
既存のＬＴＥシステムのＵＬ（Uplink）  ＭＩＭＯ（Multiple-Input  Multiple-Output）（空間多重）においては、複数ＣＷ（Code  Word）を複数レイヤへそれぞれマッピングすることをサポートする。ＵＬデータをスケジュールするＤＣＩ（Downlink  Control  Information）は、各ＣＷのＭＣＳ（Modulation  and  Coding  Scheme）を指定してもよい。よって、レイヤによって異なるＣＷがマッピングされてもよく、レイヤによって異なるＭＣＳ（異なる符号化率）が適用されてもよい。
【００１７】
将来の無線通信システムにおいては、４レイヤまでのＵＬ  ＭＩＭＯが検討されている。また、ＵＬ  ＭＩＭＯにおいて、１つのＣＷを複数レイヤへマッピングすることが検討されている。
【００１８】
しかしながら、将来の無線通信システムにおいて、複数レイヤに対するＵＣＩ  ｏｎ  ＰＵＳＣＨのマッピング方法は決められていない。適切なマッピング方法が用いられない場合、通信スループット、周波数利用効率などの劣化が生じるおそれがある。
【００１９】
そこで、本発明者らは、複数レイヤを用いるＵＣＩ  ｏｎ  ＰＵＳＣＨにおいて、ＵＣＩをマッピングする方法を着想した。
【００２０】
以下、本発明に係る実施形態について、図面を参照して詳細に説明する。各実施形態に係る無線通信方法は、それぞれ単独で適用されてもよいし、組み合わせて適用されてもよい。
【００２１】
ＵＥ及び無線基地局は、ＵＣＩ  ｏｎ  ＰＵＳＣＨを行う場合、ＰＵＳＣＨにおけるデータに対し、ＵＣＩのリソースにおいてパンクチャ処理又はレートマッチング処理を行ってもよい。
【００２２】
レートマッチング処理は、実際に利用可能な無線リソースを考慮して、符号化後のビット（符号化ビット）の数を制御する。つまり、多重するＵＣＩ数に応じて上りデータの符号化率を変更して制御する。具体的には、データをＵＣＩの多重位置に割当てないように制御する。
【００２３】
パンクチャ処理は、データ用に割り当てられたリソースを使えることを想定して符号化を行うが、実際に利用できないリソース（例えば、ＵＣＩ用リソース）に符号化シンボルをマッピングしない（リソースを空ける）。つまり、マッピングされた上りデータの符号系列にＵＣＩを上書きする。具体的には、ＵＣＩの多重位置であるかに関わらずデータを割当て、ＵＣＩが多重されるデータをＵＣＩで上書きする。
【００２４】
ＰＵＳＣＨリソース内のＵＣＩのためのリソース（ＵＣＩリソース）として、例えば、ＲＥ（Resource  Element）が空間方向（空間領域）と周波数方向（周波数領域）と時間方向（時間領域）とにわたって割り当てられてもよいし、他の単位（シンボル、ＲＢ（Resource  Block）など）のリソースが空間方向と周波数方向と時間方向とにわたって割り当てられてもよい。
【００２５】
ＵＣＩの種類（例えば、ＨＡＲＱ−ＡＣＫ、ＣＳＩなど）毎にリソース（例えば、ＨＡＲＱ−ＡＣＫ用リソース、ＣＳＩ用リソースなど）が割り当てられてもよい。
【００２６】
ＵＥは、ＵＣＩの送信に用いられるリソース量（例えば、リソース要素（ＲＥ：Resource  Element）の数）、ＵＣＩのビット数、変調次数に基づいて、ＰＵＣＣＨを用いて送信されるＵＣＩの符号化率を決定してもよい。
【００２７】
ＵＥは、ＵＣＩ  ｏｎ  ＰＵＳＣＨを送信する場合に、当該ＵＣＩのためにどのくらいのリソース（例えば、リソース要素（ＲＥ：Resource  Element））が必要であるかを知る必要がある。ＵＥは、当該リソース量の決定に用いられる情報（ＵＣＩリソース関連情報、ベータオフセット（beta  offset）、βＯｆｆｓｅｔなどともいう）を受信し、当該ベータオフセットに基づいて、ＰＵＳＣＨで伝送されるＵＣＩ用のリソース量を制御してもよい。例えば、ベータオフセットに基づいて、ＰＵＳＣＨを用いてピギーバックされるＨＡＲＱ−ＡＣＫのシンボル数（レイヤごとの符号化された変調シンボル数）が与えられる。
【００２８】
また、ベータオフセット値に基づいて、ＵＣＩを含むＰＵＳＣＨの送信電力が決定されてもよい。
【００２９】
１つ又は複数のベータオフセット値を含むセット（set）が、上位レイヤシグナリング（例えば、ＲＲＣシグナリング）によりＵＥに設定されてもよい。
【００３０】
上記のセットは、ＵＣＩタイプごとに設定されてもよい。ここで、ＵＣＩタイプは、ＵＣＩの内容に対応してもよい。例えば、ＵＣＩタイプは、ＨＡＲＱ−ＡＣＫ、ＳＲ、ＣＳＩ、ＣＳＩタイプ（CSI  Type）、ＣＳＩパート（CSI  Part）などの少なくとも１つであってもよい。
【００３１】
例えば、ＨＡＲＱ−ＡＣＫのＰＵＳＣＨピギーバックには、１セットにつき３つのベータオフセット値が定義されてもよい。これら３つの値は、ＨＡＲＱ−ＡＣＫビット数ＯＡＣＫが所定の値の範囲内の場合にそれぞれ対応してもよい（例えば、（１）ＯＡＣＫ≦２、（２）［３］≦ＯＡＣＫ≦［１１］及び（３）［１１］＜ＯＡＣＫ）。
【００３２】
また、ＣＳＩのＰＵＳＣＨピギーバックには、１セットにつき４つのベータオフセット値が定義されてもよい。これら４つの値は、ＣＳＩタイプが１か２かに関わらず、ＣＳＩパート１のビット数ＯＣＳＩ＿ｐａｒｔ１又はＣＳＩパート２のビット数ＯＣＳＩ＿ｐａｒｔ２が所定の値の範囲内の場合にそれぞれ対応してもよい（例えば、（Ａ）ＯＣＳＩ＿ｐａｒｔ１≦［１１］、（Ｂ）［１１］＜ＯＣＳＩ＿ｐａｒｔ１、（Ｃ）ＯＣＳＩ＿ｐａｒｔ２≦［１１］及び（Ｄ）［１１］＜ＯＣＳＩ＿ｐａｒｔ２）。
【００３３】
なお、ＵＥは、ＵＣＩについてのベータオフセット値を、当該ＵＣＩについての所定のインデックスに基づいて判断してもよい。例えば、ＵＥは、ＨＡＲＱ−ＡＣＫのベータオフセット値と所定のインデックスとの対応関係（マッピング）を用いてもよい。
【００３４】
ベータオフセットを用いることによって、ＵＣＩ（例えば、ＨＡＲＱ−ＡＣＫ、ＣＳＩ）とＵＬデータのそれぞれに対し、ユースケースに応じたターゲット誤り率を考慮した符号化率を設定することができる。
【００３５】
以下の説明において、マッピングの設定に用いられる上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００３６】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００３７】
（第１の態様）
第１の態様において、ＵＥは、複数レイヤを用いるＵＣＩ  ｏｎ  ＰＵＳＣＨによって、ＨＡＲＱ−ＡＣＫを送信する。ここでのＨＡＲＱ−ＡＣＫは、ＨＡＲＱ−ＡＣＫを符号化して得られる符号化情報と読み替えられてもよい。すなわち、ＵＥは、ＨＡＲＱ−ＡＣＫを符号化し、得られる符号化情報のビット列を、ＨＡＲＱ−ＡＣＫ用のリソースへマッピングしてもよい。
【００３８】
＜第１マッピング方法＞
第１マッピング方法において、ＵＥは、ＨＡＲＱ−ＡＣＫを１つのレイヤの時間リソース及び周波数リソースへマッピングし、マッピングされたＨＡＲＱ−ＡＣＫを他のレイヤへ複製することによって、ＨＡＲＱ−ＡＣＫを複数レイヤへマッピングしてもよい。
【００３９】
例えば、周波数方向及び時間方向から、第１マッピング方向と第２マッピング方向とが予め設定され、空間方向が複製方向であってもよい。ＵＥは、ＰＵＳＣＨ内のＨＡＲＱ−ＡＣＫに割り当てられたリソースの１つのレイヤにおいて、ＨＡＲＱ−ＡＣＫを、第１マッピング方向へマッピングし、その後、第２マッピング方向へマッピングし、その後、マッピングされたＨＡＲＱ−ＡＣＫを他のレイヤへ複製してもよい。
【００４０】
図１に示すように、第１マッピング方向が周波数方向であり、第２マッピング方向が時間方向であり、複製方向が空間方向であってもよい（周波数ファースト／時間セカンドマッピング）。
【００４１】
この場合、ＵＥは、ＨＡＲＱ−ＡＣＫのためのリソース（ＵＣＩリソース）の周波数方向へＨＡＲＱ−ＡＣＫのビット列をマッピングし、マッピング位置を時間方向へ変更することを繰り返すことによって、ＨＡＲＱ−ＡＣＫを特定のレイヤへマッピングし、その後、当該レイヤへマッピングされたＨＡＲＱ−ＡＣＫを他のレイヤへ複製してもよい。無線基地局は、ＰＵＳＣＨを受信すると、マッピングされた順序に従ってビットを読み、ＨＡＲＱ−ＡＣＫを復号する。
【００４２】
ＵＬ  ＭＩＭＯがＮ個のレイヤを有する場合、ＵＥは、Ｎ個のうちＸ個のレイヤへＨＡＲＱ−ＡＣＫをマッピングしてもよい。ここで、Ｘは、Ｎ以下である。ＨＡＲＱ−ＡＣＫは、全てのレイヤにマッピングされなくてもよい。
【００４３】
複数のマッピング方向に与えられる優先順位（マッピング順序）は、他の順序であってもよい。例えば、第１マッピング方向が時間方向であり、第２マッピング方向が周波数方向であり、複製方向が空間方向であってもよい（時間ファースト／周波数セカンドマッピング）。
【００４４】
また、空間方向と周波数方向及び時間方向から、第１マッピング方向と第２マッピング方向と複製方向が予め設定されてもよい。ＵＥは、ＰＵＳＣＨ内のＨＡＲＱ−ＡＣＫに割り当てられたリソースにおいて、ＨＡＲＱ−ＡＣＫを、第１マッピング方向へマッピングし、その後、第２マッピング方向へマッピングし、その後、マッピングされたＨＡＲＱ−ＡＣＫを複製方向へ複製してもよい。
【００４５】
第１マッピング方向及び第２マッピング方向及び複製方向のそれぞれにおいて、ＨＡＲＱ−ＡＣＫのためのリソースは、局所配置されてもよいし、分散配置されてもよい。
【００４６】
また、無線基地局から上位レイヤシグナリングなどによって通知される構成情報が、１つのレイヤ内のＨＡＲＱ−ＡＣＫのための時間リソース及び／又は周波数リソースを指定してもよい。ＵＥは、この構成情報に従って、ＨＡＲＱ−ＡＣＫを１つのレイヤへマッピングしてもよい。
【００４７】
また、無線基地局から上位レイヤシグナリングなどによって通知されるパラメータが、マッピングに用いられてもよい。ＵＥは、このパラメータと所定の式を用いて、ＨＡＲＱ−ＡＣＫのための時間リソース及び／又は周波数リソースを決定し、１つのレイヤにおいて決定されたリソースへＨＡＲＱ−ＡＣＫをマッピングしてもよい。
【００４８】
第１マッピング方法によれば、ＨＡＲＱ−ＡＣＫの１つの値を複数レイヤにおいて繰り返し送信することによって、空間ダイバーシチ効果を得ることができる。例えば、無線基地局は、複数レイヤにおいて対応する複数の値を足し合わせ、ＨＡＲＱ−ＡＣＫの値を判定してもよい。
【００４９】
また、ＵＥは、１つのレイヤにマッピングされたＨＡＲＱ−ＡＣＫを複製することによって、各レイヤに対してマッピングを行う必要がないため、送信処理の規模を抑えることができる。無線基地局は、複数レイヤにおいて繰り返し送信される値を処理するため、受信処理の規模を抑えることができる。
【００５０】
＜第２マッピング方法＞
第２マッピング方法において、ＵＥは、空間方向と周波数方向と時間方向とにわたって、ＨＡＲＱ−ＡＣＫをマッピングしてもよい。
【００５１】
例えば、空間方向と周波数方向と時間方向とから、第１マッピング方向と第２マッピング方向と第３マッピング方向が予め設定されてもよい。ＵＥは、ＰＵＳＣＨ内のＨＡＲＱ−ＡＣＫに割り当てられたリソースにおいて、ＨＡＲＱ−ＡＣＫを、第１マッピング方向へマッピングし、その後、第２マッピング方向へマッピングし、その後、第３マッピング方向へマッピングしてもよい。
【００５２】
例えば、図２に示すように、第１マッピング方向が空間方向であり、第２マッピング方向が周波数方向であり、第３マッピング方向が時間方向であってもよい（空間ファースト／周波数セカンド／時間サードマッピング）。
【００５３】
この場合、ＵＥは、ＨＡＲＱ−ＡＣＫのためのリソース（ＵＣＩリソース）の空間方向へＨＡＲＱ−ＡＣＫのビット列をマッピングし、マッピング位置を周波数方向へ変更することを繰り返し、次にマッピング位置を時間方向へ変更することを繰り返すことによって、ＨＡＲＱ−ＡＣＫを複数レイヤへマッピングする。無線基地局は、ＰＵＳＣＨを受信すると、マッピングされた順序に従ってビットを読み、ＨＡＲＱ−ＡＣＫを復号する。
【００５４】
ＵＬ  ＭＩＭＯがＮ個のレイヤを有する場合、ＵＥは、Ｎ個のうちＸ個のレイヤのマッピングを生成してもよい。ＨＡＲＱ−ＡＣＫが全てのレイヤにマッピングされなくてもよい。
【００５５】
複数のマッピング方向に与えられる優先順位（マッピング順序）は、他の順序であってもよい。例えば、第１マッピング方向が空間方向であり、第２マッピング方向が時間方向であり、第３マッピング方向が周波数方向であってもよい（空間ファースト／時間セカンド／周波数サードマッピング）。また、空間方向が第２マッピング方向又は第３マッピング方向であってもよい。
【００５６】
第１マッピング方向及び第２マッピング方向及び第３マッピング方向のそれぞれにおいて、ＨＡＲＱ−ＡＣＫのためのリソースは、局所配置されてもよいし、分散配置されてもよい。
【００５７】
また、無線基地局から上位レイヤシグナリングなどによって通知される構成情報が、ＨＡＲＱ−ＡＣＫのための空間リソースと時間リソースと周波数リソースとの少なくとも１つを指定してもよい。ＵＥは、この構成情報に従って、ＨＡＲＱ−ＡＣＫを複数レイヤへマッピングしてもよい。
【００５８】
また、無線基地局から上位レイヤシグナリングなどによって通知されるパラメータが、マッピングに用いられてもよい。ＵＥは、このパラメータと所定の式を用いて、複数レイヤのそれぞれのＨＡＲＱ−ＡＣＫのための空間リソースと時間リソースと周波数リソースとの少なくとも１つを決定し、決定されたリソースへＨＡＲＱ−ＡＣＫをマッピングしてもよい。
【００５９】
例えば、Ｘが３であり、１つのレイヤにおいて符号化された１０ビットのＨＡＲＱ−ＡＣＫ（符号化情報）がマッピングされるケースを用いて、第１マッピング方法と第２マッピング方法を比較する。第１マッピング方法を用いるＵＥは、１０ビットの符号化情報を３レイヤにおいて繰り返し送信する。一方、第２マッピング方法を用いるＵＥは、各レイヤにおいて１０ビットの符号化情報を送信するため、合わせて３０ビットの符号化情報を送信する。
【００６０】
よって、第２マッピング方法は、第１マッピング方法に比べ、ＨＡＲＱ−ＡＣＫの符号化ビット数を増やすことができ、ＨＡＲＱ−ＡＣＫの符号化ゲインを増やすことができる。したがって、第２マッピング方法は、ＨＡＲＱ−ＡＣＫの性能を向上できる。
【００６１】
＜Ｘの決定方法＞
ＵＥがＸを決定する方法について説明する。
【００６２】
ＵＥは、上位レイヤシグナリングによってＸを設定されてもよい。
【００６３】
ＵＥは、Ｎに基づいてＸを決定してもよい。Ｎ及びＸの関係が予め設定されてもよい。例えば、ＮとＸの関係が仕様によって規定されてもよい。例えば、Ｎが４である場合にＸは２であり、Ｎが２である場合にＸは１である、と規定されてもよい。Ｎは、上位レイヤシグナリングによって設定されてもよい。
【００６４】
ＵＥは、ＨＡＲＱ−ＡＣＫのためのベータオフセットの値に基づいて、Ｘを決定してもよい。
【００６５】
ベータオフセットの動的選択（dynamic  selection）が適用される場合、ＵＥは、ＨＡＲＱ−ＡＣＫのためのベータオフセットの値のセットに基づいて、Ｘを決定してもよい。
【００６６】
ＵＥは、上記の複数の情報の組み合わせによってＸを決定してもよい。すなわち、ＵＥは、上位レイヤシグナリングと、Ｎと、ＨＡＲＱ−ＡＣＫのためのベータオフセットと、ＨＡＲＱ−ＡＣＫのためのベータオフセットのセットと、の少なくとも１つに基づいて、Ｘを決定してもよい。
【００６７】
以上のＸの決定方法によれば、ＨＡＲＱ−ＡＣＫの送信に必要なレイヤ数を柔軟に設定できる。また、ＵＥが他のパラメータに基づいてＸを決定する場合、通知のオーバーヘッドを抑えることができる。
【００６８】
第１の態様によれば、複数レイヤを用いるＵＣＩ  ｏｎ  ＰＵＳＣＨによって、ＨＡＲＱ−ＡＣＫを送信することにより、ＨＡＲＱ−ＡＣＫのためのリソースを増やすことができ、ＨＡＲＱ−ＡＣＫの通知の性能を向上できる。
【００６９】
（第２の態様）
第２の態様において、ＵＥは、複数レイヤを用いるＵＣＩ  ｏｎ  ＰＵＳＣＨによって、ＣＳＩを送信する。ここでのＣＳＩは、ＣＳＩを符号化して得られる符号化情報と読み替えられてもよい。すなわち、ＵＥは、ＣＳＩを符号化し、得られる符号化情報のビット列を、ＣＳＩ用のリソースへマッピングしてもよい。
【００７０】
＜第１マッピング方法＞
第１マッピング方法において、ＵＥは、ＣＳＩを１つのレイヤの時間リソース及び周波数リソースへマッピングし、マッピングされたＣＳＩを他のレイヤへ複製することによって、ＣＳＩを複数レイヤへマッピングしてもよい。
【００７１】
例えば、周波数方向及び時間方向から、第１マッピング方向と第２マッピング方向とが予め設定され、空間方向が複製方向であってもよい。ＵＥは、ＰＵＳＣＨ内のＣＳＩに割り当てられたリソースの１つのレイヤにおいて、ＣＳＩを、第１マッピング方向へマッピングし、その後、第２マッピング方向へマッピングし、その後、マッピングされたＣＳＩを他のレイヤへ複製してもよい。
【００７２】
図１に示すように、第１マッピング方向が周波数方向であり、第２マッピング方向が時間方向であり、複製方向が空間方向であってもよい（周波数ファースト／時間セカンドマッピング）。
【００７３】
この場合、ＵＥは、ＣＳＩのためのリソース（ＵＣＩリソース）の周波数方向へＣＳＩのビット列をマッピングし、マッピング位置を時間方向へ変更することを繰り返すことによって、ＣＳＩを特定のレイヤへマッピングし、その後、当該レイヤへマッピングされたＣＳＩを他のレイヤへ複製してもよい。無線基地局は、ＰＵＳＣＨを受信すると、マッピングされた順序に従ってビットを読み、ＣＳＩを復号する。
【００７４】
ＵＬ  ＭＩＭＯがＮ個のレイヤを有する場合、ＵＥは、Ｎ個のうちＹ個のレイヤへＣＳＩをマッピングしてもよい。ここで、Ｙは、Ｎ以下である。ＣＳＩは、全てのレイヤにマッピングされなくてもよい。
【００７５】
複数のマッピング方向に与えられる優先順位（マッピング順序）は、他の順序であってもよい。例えば、第１マッピング方向が時間方向であり、第２マッピング方向が周波数方向であり、複製方向が空間方向であってもよい（時間ファースト／周波数セカンドマッピング）。
【００７６】
また、空間方向と周波数方向と時間方向とから、第１マッピング方向と第２マッピング方向と複製方向が予め設定されてもよい。ＵＥは、ＰＵＳＣＨ内のＣＳＩに割り当てられたリソースにおいて、ＣＳＩを、第１マッピング方向へマッピングし、その後、第２マッピング方向へマッピングし、その後、マッピングされたＣＳＩを複製方向へ複製してもよい。
【００７７】
第１マッピング方向及び第２マッピング方向及び複製方向のそれぞれにおいて、ＣＳＩのためのリソースは、局所配置されてもよいし、分散配置されてもよい。
【００７８】
また、無線基地局から上位レイヤシグナリングなどによって通知される構成情報が、１つのレイヤ内のＣＳＩのための時間リソース及び／又は周波数リソースを指定してもよい。ＵＥは、この構成情報に従って、ＣＳＩを１つのレイヤへマッピングしてもよい。
【００７９】
また、無線基地局から上位レイヤシグナリングなどによって通知されるパラメータが、マッピングに用いられてもよい。ＵＥは、このパラメータと所定の式を用いて、ＣＳＩのための時間リソース及び／又は周波数リソースを決定し、１つのレイヤにおいて決定されたリソースへＣＳＩをマッピングしてもよい。
【００８０】
第１マッピング方法によれば、ＣＳＩの１つの値を複数レイヤにおいて繰り返し送信することによって、空間ダイバーシチ効果を得ることができる。例えば、無線基地局は、複数レイヤにおいて対応する複数の値を足し合わせ、ＣＳＩの値を判定してもよい。
【００８１】
また、ＵＥは、１つのレイヤにマッピングされたＣＳＩを複製することによって、各レイヤに対してマッピングを行う必要がないため、送信処理の規模を抑えることができる。無線基地局は、複数レイヤにおいて繰り返し送信される値を処理するため、受信処理の規模を抑えることができる。
【００８２】
＜第２マッピング方法＞
第２マッピング方法において、ＵＥは、空間方向と周波数方向と時間方向とにわたって、ＣＳＩをマッピングしてもよい。
【００８３】
例えば、空間方向と周波数方向と時間方向とから、第１マッピング方向と第２マッピング方向と第３マッピング方向が予め設定されてもよい。ＵＥは、ＰＵＳＣＨ内のＣＳＩに割り当てられたリソースにおいて、ＣＳＩを、第１マッピング方向へマッピングし、その後、第２マッピング方向へマッピングし、その後、第３マッピング方向へマッピングしてもよい。
【００８４】
例えば、図２に示すように、第１マッピング方向が空間方向であり、第２マッピング方向が周波数方向であり、第３マッピング方向が時間方向であってもよい（空間ファースト／周波数セカンド／時間サードマッピング）。
【００８５】
この場合、ＵＥは、ＣＳＩのためのリソース（ＵＣＩリソース）の空間方向へＣＳＩのビット列をマッピングし、マッピング位置を周波数方向へ変更することを繰り返し、次にマッピング位置を時間方向へ変更することを繰り返すことによって、ＣＳＩを複数レイヤへマッピングする。無線基地局は、ＰＵＳＣＨを受信すると、マッピングされた順序に従ってビットを読み、ＣＳＩを復号する。
【００８６】
ＵＬ  ＭＩＭＯがＮ個のレイヤを有する場合、ＵＥは、Ｎ個のうちＹ個のレイヤのマッピングを生成してもよい。ＣＳＩが全てのレイヤにマッピングされなくてもよい。
【００８７】
複数のマッピング方向に与えられる優先順位（マッピング順序）は、他の順序であってもよい。例えば、第１マッピング方向が空間方向であり、第２マッピング方向が時間方向であり、第３マッピング方向が周波数方向であってもよい（空間ファースト／時間セカンド／周波数サードマッピング）。また、空間方向が第２マッピング方向又は第３マッピング方向であってもよい。
【００８８】
第１マッピング方向及び第２マッピング方向及び第３マッピング方向のそれぞれにおいて、ＣＳＩのためのリソースは、局所配置されてもよいし、分散配置されてもよい。
【００８９】
また、無線基地局から上位レイヤシグナリングなどによって通知される構成情報が、ＣＳＩのための空間リソースと時間リソースと周波数リソースとの少なくとも１つを指定してもよい。ＵＥは、この構成情報に従って、ＣＳＩを複数レイヤへマッピングしてもよい。
【００９０】
また、無線基地局から上位レイヤシグナリングなどによって通知されるパラメータが、マッピングに用いられてもよい。ＵＥは、このパラメータと所定の式を用いて、複数レイヤのそれぞれのＣＳＩのための空間リソースと時間リソースと周波数リソースとの少なくとも１つを決定し、決定されたリソースへＣＳＩをマッピングしてもよい。
【００９１】
例えば、Ｙが３であり、１つのレイヤにおいて符号化された１０ビットのＣＳＩ（符号化情報）がマッピングされるケースを用いて、第１マッピング方法と第２マッピング方法を比較する。第１マッピング方法を用いるＵＥは、１０ビットの符号化情報を３レイヤにおいて繰り返し送信する。一方、第２マッピング方法を用いるＵＥは、各レイヤにおいて１０ビットの符号化情報を送信するため、合わせて３０ビットの符号化情報を送信する。
【００９２】
よって、第２マッピング方法は、第１マッピング方法に比べ、ＣＳＩの符号化ビット数を増やすことができ、ＣＳＩの符号化ゲインを増やすことができる。したがって、第２マッピング方法は、ＣＳＩの性能を向上できる。
【００９３】
＜Ｙの決定方法＞
ＵＥがＹを決定する方法について説明する。
【００９４】
ＵＥは、上位レイヤシグナリングによってＹを設定されてもよい。
【００９５】
ＵＥは、Ｎに基づいてＹを決定してもよい。Ｎ及びＹの関係が予め設定されてもよい。例えば、ＮとＹの関係が仕様によって規定されてもよい。例えば、Ｎが４である場合にＹは２であり、Ｎが２である場合にＹは１である、と規定されてもよい。Ｎは、上位レイヤシグナリングによって設定されてもよい。
【００９６】
ＵＥは、ＣＳＩのためのベータオフセットの値に基づいて、Ｙを決定してもよい。
【００９７】
ベータオフセットの動的選択（dynamic  selection）が適用される場合、ＵＥは、ＣＳＩのためのベータオフセットの値のセットに基づいて、Ｙを決定してもよい。
【００９８】
ＵＥは、上記の複数の情報の組み合わせによってＹを決定してもよい。すなわち、ＵＥは、上位レイヤシグナリングと、Ｎと、ＣＳＩのためのベータオフセットと、ＣＳＩのためのベータオフセットのセットと、の少なくとも１つに基づいて、Ｙを決定してもよい。
【００９９】
以上のＹの決定方法によれば、ＣＳＩの送信に必要なレイヤ数を柔軟に設定できる。また、ＵＥが他のパラメータに基づいてＹを決定する場合、通知のオーバーヘッドを抑えることができる。
【０１００】
第２の態様によれば、複数レイヤを用いるＵＣＩ  ｏｎ  ＰＵＳＣＨによって、ＣＳＩを送信することにより、ＣＳＩのためのリソースを増やすことができ、ＣＳＩの通知の性能を向上できる。
【０１０１】
（他の態様）
第１の態様及び第２の態様が組み合わせられてもよい。
【０１０２】
１つのＰＵＳＣＨにおいて、ＨＡＲＱ−ＡＣＫとＣＳＩが同時にピギーバックされるケースがある。この場合、ＨＡＲＱ−ＡＣＫがマッピングされるレイヤと、ＣＳＩがマッピングされるレイヤは、同一であってもよいし、異なっていてもよい。また、Ｘ及びＹは、同一であってもよいし、異なっていてもよい。例えば、Ｘ及びＹは、上位レイヤシグナリングによって独立に設定されてもよい。
【０１０３】
ＵＥは、第１の態様及び／又は第２の態様のマッピング方法を用いて、ＳＲなど、他のＵＣＩの、ＵＣＩ  ｏｎ  ＰＵＳＣＨを行ってもよい。チャネル品質識別子（ＣＱＩ：Channel  Quality  Indicator）、ランク識別子（ＲＩ：Rank  Indicator）、プリコーディング行列識別子（ＰＭＩ：Precoding  Matrix  Indicator）、ビーム情報（例えば、ＢＩ：Beam  Index）のうち、複数のパラメータが独立にマッピングされてもよい。
【０１０４】
異なる種類のＵＣＩのマッピング方法は、同一であってもよいし、異なっていてもよい。異なる種類のＵＣＩがマッピングされるレイヤ数（例えば、Ｘ、Ｙ）は、同一であってもよいし、異なっていてもよい。異なる種類のＵＣＩに対して、異なるレイヤ数を設定することにより、各ＵＣＩの通知に対して独立して性能（ターゲット誤り率等）を設定できる。
【０１０５】
ＵＥは、第１の態様及び／又は第２の態様のマッピング方法を用いて、複数の種類のＵＣＩを結合して符号化すること（joint  coding）によって得られる符号化情報の、ＵＣＩ  ｏｎ  ＰＵＳＣＨを行ってもよい。
【０１０６】
ＰＵＳＣＨにおいて、データのマッピング方法は、ＵＣＩ（例えば、ＨＡＲＱ−ＡＣＫ及び／又はＣＳＩ）のマッピング方法と同一であってもよいし、異なっていてもよい。例えば、データに対して、第１マッピング方法の時間ファースト／周波数セカンドマッピングが用いられ、ＨＡＲＱ−ＡＣＫに対して、第１マッピング方法の周波数ファースト／時間セカンドマッピングが用いられてもよい。例えば、データに対して、第２マッピング方法が用いられ、ＨＡＲＱ−ＡＣＫに対して、第１マッピング方法が用いられてもよい。
【０１０７】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１０８】
図３は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１０９】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１１０】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１１１】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１１２】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１１３】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１１４】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１１５】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１１６】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１１７】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１１８】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１１９】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１２０】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１２１】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１２２】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１２３】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１２４】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１２５】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１２６】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１２７】
（無線基地局）
図４は、一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１２８】
下りリンクによって無線基地局１０からユーザ端末２０に送信されるユーザデータは、上位局装置３０から伝送路インターフェース１０６を介してベースバンド信号処理部１０４に入力される。
【０１２９】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１３０】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１３１】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１３２】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１３３】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１３４】
送受信部１０３は、上り共有チャネル（例えば、ＰＵＳＣＨ）においてＵＬデータ及び上り制御情報（ＵＣＩ）を受信してもよい。
【０１３５】
図５は、本開示の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１３６】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１３７】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１３８】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１３９】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１４０】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１４１】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１４２】
制御部３０１は、上り共有チャネル（例えば、ＰＵＳＣＨ）におけるＵＬデータ及び当該上り共有チャネルにピギーバックされる上り制御情報（ＵＣＩ）の受信の制御を行ってもよい。例えば、制御部３０１は、ユーザ端末２０に対して設定したベータオフセット値の複数のセットから１つのセットを特定し、当該１つのセットから選択したベータオフセット値に基づいて、ＰＵＳＣＨにおけるＵＣＩ送信のためのリソース量を判断してもよい。
【０１４３】
制御部３０１は、ユーザ端末２０において上記複数のセットから上記１つのセットを特定させるための情報として、ＤＣＩ（ＵＬグラント）に含まれる所定のフィールドを送信する制御を行ってもよい。制御部３０１は、上記所定のフィールドに、ＵＬグラントによってスケジュールされるＰＵＳＣＨの開始及び／又は終了タイミング（シンボル）を関連付けてもよい。
【０１４４】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１４５】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１４６】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１４７】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１４８】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１４９】
測定部３０５は、受信した信号に関する測定を実施する。測定部３０５は、本開示に係る技術分野での共通認識に基づいて説明される測定器、測定回路又は測定装置から構成することができる。
【０１５０】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１５１】
（ユーザ端末）
図６は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１５２】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１５３】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１５４】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１５５】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１５６】
また、送受信部２０３は、上り共有チャネル（例えば、ＰＵＳＣＨ）において上りデータ及び上り制御情報（ＵＣＩ、例えば、ＨＡＲＱ−ＡＣＫ、ＣＳＩ）を送信してもよい。
【０１５７】
図７は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１５８】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１５９】
制御部４０１は、ユーザ端末２０全体の制御を実施する。制御部４０１は、本開示に係る技術分野での共通認識に基づいて説明されるコントローラ、制御回路又は制御装置から構成することができる。
【０１６０】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１６１】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１６２】
また、制御部４０１は、無線基地局１０から通知された各種情報を受信信号処理部４０４から取得した場合、当該情報に基づいて制御に用いるパラメータを更新してもよい。
【０１６３】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１６４】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１６５】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１６６】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１６７】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１６８】
測定部４０５は、受信した信号に関する測定を実施する。測定部４０５は、本開示に係る技術分野での共通認識に基づいて説明される測定器、測定回路又は測定装置から構成することができる。
【０１６９】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１７０】
また、制御部４０１は、上り共有チャネル（例えば、ＰＵＳＣＨ）におけるＵＬデータ及び当該上り共有チャネルにピギーバックされる上り制御情報（ＵＣＩ）の送信の制御を行ってもよい。
【０１７１】
また、制御部４０１は、空間領域（空間方向）、周波数領域（周波数方向）、及び時間領域（時間方向）の１つへ最初に上り制御情報をマッピングすることにより、上り制御情報を複数レイヤへマッピングすることを制御してもよい。
【０１７２】
また、制御部４０１は、複数レイヤの１つのレイヤへ上り制御情報をマッピングし、１つのレイヤへマッピングされた上り制御情報を、複数レイヤへ複製してもよい（例えば、第１のマッピング方法）。
【０１７３】
また、制御部４０１は、上り制御情報のビット列を、複数レイヤにわたってマッピングしてもよい（例えば、第２のマッピング方法）。
【０１７４】
また、制御部４０１は、上位レイヤシグナリングと、空間多重のレイヤ数（例えば、Ｎ）と、上り制御情報に対するベータオフセットと、上り制御情報に対するベータオフセットのセットと、の少なくとも１つに基づいて、上り制御情報がマッピングされるレイヤの数（例えば、Ｘ及び／又はＹ）を決定してもよい。
【０１７５】
また、制御部４０１は、再送制御情報（例えば、ＨＡＲＱ−ＡＣＫ）がマッピングされるレイヤ数と、チャネル状態情報（例えば、ＣＳＩ）がマッピングされるレイヤ数と、を決定してもよい。
【０１７６】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１７７】
例えば、本開示の一実施形態における無線基地局、ユーザ端末などは、本開示の無線通信方法の処理を行うコンピュータとして機能してもよい。図８は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７８】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７９】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１８０】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１８１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１８２】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１８３】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、一実施形態に係る無線通信方法を実施するために実行可能なプログラム（プログラムコード）、ソフトウェアモジュールなどを保存することができる。
【０１８４】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１８６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８７】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８８】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８９】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１９０】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１９１】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１９２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９３】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９４】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１９５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９６】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１９７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９８】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１９９】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２００】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２０１】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２０２】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２０３】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０４】
また、情報、信号などは、上位レイヤから下位レイヤ、及び／又は下位レイヤから上位レイヤへ出力され得る。情報、信号などは、複数のネットワークノードを介して入出力されてもよい。
【０２０５】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０６】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２０７】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２０８】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０９】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１０】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１１】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２１２】
本明細書において使用する「システム」及び「ネットワーク」という用語は、互換的に使用される。
【０２１３】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２１４】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２１５】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２１６】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１７】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２１８】
同様に、本明細書におけるユーザ端末は、無線基地局で読み替えてもよい。この場合、上述のユーザ端末２０が有する機能を無線基地局１０が有する構成としてもよい。
【０２１９】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２２０】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２２１】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２２２】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２３】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２２４】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２５】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２２６】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２２７】
本明細書において、「ＡとＢが異なる」という用語は、「ＡとＢが互いに異なる」ことを意味してもよい。「離れる」、「結合される」などの用語も同様に解釈されてもよい。
【０２２８】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２２９】
以上、本開示に係る発明について詳細に説明したが、当業者にとっては、本開示に係る発明が本明細書中に説明した実施形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2019097696.tif 000003
【図２】
2019097696.tif 000004
【図３】
2019097696.tif 000005
【図４】
2019097696.tif 000006
【図５】
2019097696.tif 000007
【図６】
2019097696.tif 000008
【図７】
2019097696.tif 000009
【図８】
2019097696.tif 000010
【国際調査報告】
2019097696.tif 000011
2019097696.tif 000012
2019097696.tif 000013
2019097696.tif 000014